【手続補正書】
【提出日】平成16年5月18日(2004.5.18)
【手続補正１】
【補正対象書類名】明細書
【補正対象項目名】特許請求の範囲
【補正方法】変更
【補正の内容】
【特許請求の範囲】
【請求項１】
複数の情報記録媒体の中から一つの情報記録媒体を選択的に再生可能な再生装置において、
前記複数の情報記録媒体の中から再生する前記情報記録媒体を選択する操作がなされる操作手段と、
前記選択された情報記録媒体の再生処理を行う再生処理手段と、
前記再生処理中の情報記録媒体の再生情報を記憶する記憶手段と、
所定の時間を設定し、経過をカウントする制御手段と、を備えた再生装置であって、
前記再生処理手段が一の情報記録媒体を再生処理中に、前記操作手段によって前記一の情報記録媒体の再生処理が中断されると、前記制御手段によって前記所定の時間の経過がカウントされ、前記所定の時間内に前記操作手段によって再度前記一の情報記録媒体が選択された場合、前記再生処理手段は前記記憶手段に記憶されている前記再生情報に基づいて前記一の情報記録媒体の再生処理を行うことを特徴とする再生装置。
【請求項２】
前記再生処理手段とは異なる所定の情報を再生処理する他の再生処理手段と、前記再生処理手段と前記他の再生処理手段とを選択的に切替える切替手段と、を備え、
前記再生処理手段が一の情報記録媒体を再生処理中に、前記切替手段によって他の再生処理手段が選択されると、前記制御手段によって前記所定の時間の経過がカウントされ、前記所定の時間内に前記切替手段によって再度前記再生処理手段が選択された場合、前記再生処理手段は前記記憶手段に記憶されている前記再生情報に基づいて前記一の情報記録媒体の再生処理を行うことを特徴とする請求項１に記載の再生装置。
【請求項３】
電源のＯＮ／ＯＦＦを検出する検出手段を、備え、
前記制御手段によって所定の時間が設定されるとともに、前記再生処理手段が一の情報記録媒体を再生処理中に、前記検出手段によって電源のＯＦＦが検出され、前記所定の時間内に再び電源のＯＮが検出された場合、前記再生処理手段は前記記憶手段に記憶されている前記再生情報に基づいて前記一の情報記録媒体の再生処理を行うよう前記制御手段によって制御されることを特徴とする請求項１に記載の再生装置。
【請求項４】
前記記憶手段に記憶される再生情報は、前記情報記録媒体のアドレス位置を示すアドレス情報であることを特徴とする請求項１乃至３のいずれかに記載の再生装置。
【請求項５】
前記記憶手段に記憶される再生情報は、前記情報記録媒体のうち所定のグループの先頭アドレス位置を示す先頭アドレス情報であることを特徴とする請求項１乃至３のいずれかに記載の再生装置。
【請求項６】
複数の情報記録媒体の中から一つの情報記録媒体を選択的に再生可能な再生装置において、
前記複数の情報記録媒体の中から再生する前記情報記録媒体を選択する操作がなされる操作手段と、
前記選択された情報記録媒体の再生処理を行う再生処理手段と、
前記再生処理中の情報記録媒体の再生情報を記憶する記憶手段と、
装置外部に情報を報知する報知手段と、
所定の時間を設定し、経過をカウントする制御手段と、を備えた再生装置であって、
前記再生処理手段が一の情報記録媒体を再生処理中に、前記操作手段によって前記一の情報記録媒体の再生処理が中断されると、前記制御手段によって前記所定の時間の経過がカウントされ、前記所定の時間内に前記操作手段によって再度前記一の情報記録媒体が選択された場合、前記再生処理手段が前記記憶手段に記憶されている前記再生情報に基づいて前記一の情報記録媒体の再生処理を行うか否かの選択を促す情報の報知を前記報知手段が行うことを特徴とする再生装置。
【請求項７】
前記再生処理手段とは異なる所定の情報を再生処理する他の再生処理手段と、前記再生処理手段と前記他の再生処理手段とを選択的に切替える切替手段と、を備え、
前記再生処理手段が一の情報記録媒体を再生処理中に、前記切替手段によって他の再生処理手段が選択されると、前記制御手段によって前記所定の時間の経過がカウントされ、前記所定の時間内に前記切替手段によって再度前記再生処理手段が選択された場合、前記再生処理手段が前記記憶手段に記憶されている前記再生情報に基づいて前記一の情報記録媒体の再生処理を行うか否かの選択を促す情報の報知を前記報知手段が行うことを特徴とする請求項６に記載の再生装置。
【請求項８】
電源のＯＮ／ＯＦＦを検出する検出手段を、備え、
前記制御手段によって所定の時間が設定されるとともに、前記再生処理手段が一の情報記録媒体を再生処理中に、前記検出手段によって電源のＯＦＦが検出され、前記所定の時間内に再び電源のＯＮが検出された場合、前記再生処理手段が前記記憶手段に記憶されている前記再生情報に基づいて前記一の情報記録媒体の再生処理を行うか否かの選択を促す情報の報知を前記報知手段が行うことを特徴とする請求項７に記載の再生装置。
【請求項９】
前記報知手段によって報知された情報に基づいて再生処理の方法の選択がなされる選択手段と、を備え、
前記選択手段により、前記記憶手段に記憶されている再生情報に基づいて前記一の情報記録媒体の再生処理を行うことを選択した場合、前記再生処理手段は、前記記憶手段に記憶されている再生情報に基づいて前記一の情報記録媒体の再生処理を行うことを特徴とする請求項６乃至８のいずれかに記載の再生装置。
【請求項１０】
前記選択手段により、前記記憶手段に記憶されている再生情報に基づいて前記一の情報記録媒体の再生処理を行わない選択をした場合、前記再生処理手段は、前記一の情報記録媒体を最初から再生処理することを特徴とする請求項９に記載の再生装置。
【請求項１１】
前記記憶手段に記憶される再生情報は、前記情報記録媒体のアドレス位置を示すアドレス情報であることを特徴とする請求項６乃至１０のいずれかに記載の再生装置。
【請求項１２】
前記記憶手段に記憶される再生情報は、前記情報記録媒体のうち所定のグループの先頭アドレス位置を示す先頭アドレス情報であることを特徴とする請求項６乃至１０のいずれかに記載の再生装置。
【手続補正２】
【補正対象書類名】明細書
【補正対象項目名】００２２
【補正方法】変更
【補正の内容】
【００２２】
【課題を解決するための手段】
請求項１に記載の発明は、複数の情報記録媒体の中から一つの情報記録媒体を選択的に再生可能な再生装置において、前記複数の情報記録媒体の中から再生する前記情報記録媒体を選択する操作がなされる操作手段と、前記選択された情報記録媒体の再生処理を行う再生処理手段と、前記再生処理中の情報記録媒体の再生情報を記憶する記憶手段と、所定の時間を設定し、経過をカウントする制御手段とを備えた再生装置であって、前記再生処理手段が一の情報記録媒体を再生処理中に、前記操作手段によって前記一の情報記録媒体の再生処理が中断されると、前記制御手段によって前記所定の時間の経過がカウントされ、前記所定の時間内に前記操作手段によって再度前記一の情報記録媒体が選択された場合、前記再生処理手段は前記記憶手段に記憶されている前記再生情報に基づいて前記一の情報記録媒体の再生処理を行うことを特徴とする。
【手続補正３】
【補正対象書類名】明細書
【補正対象項目名】００２３
【補正方法】変更
【補正の内容】
【００２３】
これにより、再生処理手段が一の情報記録媒体を再生処理中に、例えば使用者の指令により当該一の情報記録媒体の再生を中断させてしまった場合でも、使用者の指令により操作手段が所定の時間内に再度当該一の情報記録媒体が選択されることにより、記憶手段に記憶されている再生情報に基づいて再生処理手段が中断直前に行っていた当該一の情報記録媒体の再生処理を行うことで、再生装置は、迅速に中断直前における当該一の情報記録媒体の再生処理を行うことができる。
【手続補正４】
【補正対象書類名】明細書
【補正対象項目名】００２４
【補正方法】変更
【補正の内容】
【００２４】
また、請求項２に記載の発明は、請求項１に記載の再生装置において、前記再生処理手段とは異なる所定の情報を再生処理する他の再生処理手段と、前記再生処理手段と前記他の再生処理手段とを選択的に切替える切替手段とを備え、前記再生処理手段が一の情報記録媒体を再生処理中に、前記切替手段によって他の再生処理手段が選択されると、前記制御手段によって前記所定の時間の経過がカウントされ、前記所定の時間内に前記切替手段によって再度前記再生処理手段が選択された場合、前記再生処理手段は前記記憶手段に記憶されている前記再生情報に基づいて前記一の情報記録媒体の再生処理を行うことを特徴とする。
【手続補正５】
【補正対象書類名】明細書
【補正対象項目名】００２５
【補正方法】変更
【補正の内容】
【００２５】
これにより、再生処理手段が複数の情報記録媒体から選択された一の情報記録媒体を再生処理中に、例えば使用者が切替手段により他の再生処理手段の再生処理に切替えてしまった場合でも、使用者が所定時間内に再度元の再生処理手段に切り替える切替操作を行うことにより、再生処理手段は、記憶手段に記憶されている再生情報に基づいて当該一の情報記録媒体の再生処理を行うので、再生装置は、迅速に中断直前の情報記録媒体の再生処理を行うことができる。
【手続補正６】
【補正対象書類名】明細書
【補正対象項目名】００２６
【補正方法】変更
【補正の内容】
【００２６】
また、請求項３に記載の発明は、請求項１に記載の再生装置において、電源のＯＮ／ＯＦＦを検出する検出手段を備え、前記制御手段によって所定の時間が設定されるとともに、前記再生処理手段が一の情報記録媒体を再生処理中に、前記検出手段によって電源のＯＦＦが検出され、前記所定の時間内に再び電源のＯＮが検出された場合、前記再生処理手段は前記記憶手段に記憶されている前記再生情報に基づいて前記一の情報記録媒体の再生処理を行うよう前記制御手段によって制御されることを特徴とする。
【手続補正７】
【補正対象書類名】明細書
【補正対象項目名】００２７
【補正方法】変更
【補正の内容】
【００２７】
これにより、再生処理手段が複数の情報記録媒体から選択された一の情報記録媒体を再生処理中に、例えば使用者が再生装置の電源を切って（電源ＯＦＦして）しまった場合でも、所定の時間内に電源を再投入（電源ＯＮ）することにより、検出手段が電源ＯＦＦを
検出した後所定の時間経過以前に電源ＯＮを検出する。その場合には、再生処理手段は、記憶手段に記憶されている再生情報に基づいて当該一の情報記録媒体の再生処理を行ので、再生装置は、迅速に電源ＯＦＦ直前の情報記録媒体の再生処理を行うことができる。
【手続補正８】
【補正対象書類名】明細書
【補正対象項目名】００２８
【補正方法】変更
【補正の内容】
【００２８】
また、請求項４に記載の発明は、請求項１乃至３のいずれかに記載の再生装置において、前記記憶手段に記憶される再生情報は、前記情報記録媒体のアドレス位置を示すアドレス情報であることを特徴とする。
【手続補正９】
【補正対象書類名】明細書
【補正対象項目名】００２９
【補正方法】変更
【補正の内容】
【００２９】
これにより、再生処理手段が一の情報記録媒体を再生処理中に、例えば使用者が再生装置の当該一の情報記録媒体の再生を中断させてしまった場合でも、記憶手段には再生処理手段が中断直前に再生処理していた情報記録媒体の中断直前のアドレス情報が所定の時間記憶されるので、該所定の時間内に操作手段によって再度前記一の情報記録媒体が選択された場合、当該一の情報記録媒体の再生処理を中断直前のアドレス位置から引き続き行うことができる。その結果、再生装置は、迅速に中断した情報記録媒体の中断直前のアドレス位置から再生処理を行うことができる。
【手続補正１０】
【補正対象書類名】明細書
【補正対象項目名】００３０
【補正方法】変更
【補正の内容】
【００３０】
また、請求項５に記載の発明は、請求項１乃至３のいずれかに記載の再生装置において、前記記憶手段に記憶される再生情報は、前記情報記録媒体のうち所定のグループの先頭アドレス位置を示す先頭アドレス情報であることを特徴とする。
【手続補正１１】
【補正対象書類名】明細書
【補正対象項目名】００３１
【補正方法】変更
【補正の内容】
【００３１】
これにより、再生処理手段が一の情報記録媒体の一のグループを再生処理中に、例えば使用者が再生装置の当該一の情報記録媒体の再生を中断させてしまった場合でも、記憶手段には再生処理手段が中断直前に再生処理していた情報記録媒体の中断直前のグループの先頭アドレス情報が所定時間記憶されるので、該所定の時間内に操作手段によって再度前記一の情報記録媒体が選択された場合、当該一の情報記録媒体の再生処理を中断直前のグループの先頭アドレス位置から引き続き行うことができる。その結果、再生装置は、迅速に中断した情報記録媒体の中断直前のグループの先頭アドレス位置から再生処理を行うことができる。
【手続補正１２】
【補正対象書類名】明細書
【補正対象項目名】００３２
【補正方法】変更
【補正の内容】
【００３２】
また、請求項６に記載の発明は、複数の情報記録媒体の中から一つの情報記録媒体を選択的に再生可能な再生装置において、前記複数の情報記録媒体の中から再生する前記情報記録媒体を選択する操作がなされる操作手段と、前記選択された情報記録媒体の再生処理を行う再生処理手段と、前記再生処理中の情報記録媒体の再生情報を記憶する記憶手段と、装置外部に情報を報知する報知手段と、所定の時間を設定し、経過をカウントする制御手段と、を備えた再生装置であって、前記再生処理手段が一の情報記録媒体を再生処理中に、前記操作手段によって前記一の情報記録媒体の再生処理が中断されると、前記制御手段によって前記所定の時間の経過がカウントされ、前記所定の時間内に前記操作手段によって再度前記一の情報記録媒体が選択された場合、前記再生処理手段が前記記憶手段に記憶されている前記再生情報に基づいて前記一の情報記録媒体の再生処理を行うか否かの選択を促す情報の報知を前記報知手段が行うことを特徴とする。
【手続補正１３】
【補正対象書類名】明細書
【補正対象項目名】００３３
【補正方法】変更
【補正の内容】
【００３３】
これにより、再生処理手段が一の情報記録媒体を再生処理中に、例えば使用者の指令により当該一の情報記録媒体の再生を中断させてしまった場合でも、使用者の指令により操作手段が所定の時間内に再度当該一の情報記録媒体が選択されることにより、再生処理手段が記憶手段に記憶されている再生情報に基づいて当該一の情報記録媒体の再生を行うか否か選択を促す情報を報知手段が報知するので、その結果、使用者は、再生装置を中断直前に行っていた当該一の情報記録媒体の再生処理に復帰するか否かを迅速に判断することができる。
【手続補正１４】
【補正対象書類名】明細書
【補正対象項目名】００３４
【補正方法】変更
【補正の内容】
【００３４】
また、請求項７に記載の発明は、請求項６に記載の再生装置において、前記再生処理手段とは異なる所定の情報を再生処理する他の再生処理手段と、前記再生処理手段と前記他の再生処理手段とを選択的に切替える切替手段とを備え、前記再生処理手段が一の情報記録媒体を再生処理中に、前記切替手段によって他の再生処理手段が選択されると、前記制御手段によって前記所定の時間の経過がカウントされ、前記所定の時間内に前記切替手段によって再度前記再生処理手段が選択された場合、前記再生処理手段が前記記憶手段に記憶されている前記再生情報に基づいて前記一の情報記録媒体の再生処理を行うか否かの選択を促す情報の報知を前記報知手段が行うことを特徴とする。
【手続補正１５】
【補正対象書類名】明細書
【補正対象項目名】００３５
【補正方法】変更
【補正の内容】
【００３５】
これにより、再生処理手段が複数の情報記録媒体から選択された一の情報記録媒体を再生処理中に、例えば使用者が切替手段により他の再生処理手段の再生処理に切替えてしまった場合でも、使用者が所定時間内に再度元の再生処理手段に切替える切替操作を行うことにより、再生処理手段が記憶手段に記憶されている再生情報に基づいて当該一の情報記録媒体の再生処理を行うのか否か選択を促す情報を報知手段が報知するので、その結果、使用者は、再生処理手段を切替える直前に行っていた当該一の情報記録媒体の再生処理に復帰するか否かを迅速に判断することができる。
【手続補正１６】
【補正対象書類名】明細書
【補正対象項目名】００３６
【補正方法】変更
【補正の内容】
【００３６】
また、請求項８に記載の発明は、請求項７に記載の再生装置において、電源のＯＮ／ＯＦＦを検出する検出手段を備え、前記制御手段によって所定の時間が設定されるとともに、前記再生処理手段が一の情報記録媒体を再生処理中に、前記検出手段によって電源のＯＦＦが検出され、前記所定の時間内に再び電源のＯＮが検出された場合、前記再生処理手段が前記記憶手段に記憶されている前記再生情報に基づいて前記一の情報記録媒体の再生処理を行うか否かの選択を促す情報の報知を前記報知手段が行うことを特徴とする。
【手続補正１７】
【補正対象書類名】明細書
【補正対象項目名】００３７
【補正方法】変更
【補正の内容】
【００３７】
これにより、再生処理手段が複数の情報記録媒体から選択された一の情報記録媒体を再生処理中に、例えば使用者が再生装置の電源を切って（電源ＯＦＦして）しまった場合でも、所定の時間内に電源を再投入（電源ＯＮ）することにより、検出手段が電源ＯＦＦを検出した後所定の時間経過以前に電源ＯＮを検出するので、その場合には、再生処理手段が記憶手段に記憶されている再生情報に基づいて当該一の情報記録媒体の再生処理を行うのか否か選択を促す情報を報知手段が報知するので、その結果、使用者は、再生装置を電源ＯＦＦ直前に行っていた当該一の情報記録媒体の再生処理に復帰させるか否かを迅速に判断することができる。
【手続補正１８】
【補正対象書類名】明細書
【補正対象項目名】００３８
【補正方法】変更
【補正の内容】
【００３８】
また、請求項９に記載の発明は、請求項６乃至８に記載の再生装置において、前記報知手段によって報知された情報に基づいて再生処理の方法の選択がなされる選択手段とを備え、前記選択手段により、前記記憶手段に記憶されている再生情報に基づいて前記一の情報記録媒体の再生処理を行うことを選択した場合、前記再生処理手段は、前記記憶手段に記憶されている再生情報に基づいて前記一の情報記録媒体の再生処理を行うことを特徴とする。
【手続補正１９】
【補正対象書類名】明細書
【補正対象項目名】００３９
【補正方法】変更
【補正の内容】
【００３９】
これにより、再生処理手段が一の情報記録媒体を再生処理中に、例えば使用者の操作により当該一の情報記録媒体の再生を中断させてしまった場合でも、選択手段により当該一の情報記録媒体の再生を記憶手段に記憶されている再生情報に基づいて行う選択をした場合には、再生処理手段は、記憶手段に記憶されている再生情報に基づいて当該一の情報記録媒体の再生処理を行うので、その結果、使用者は、再生装置を記憶手段に記憶されている再生情報に基づく当該一の情報記録媒体の再生処理に迅速に復帰させることができる。
【手続補正２０】
【補正対象書類名】明細書
【補正対象項目名】００４０
【補正方法】変更
【補正の内容】
【００４０】
また、請求項１０に記載の発明は、請求項９に記載の再生装置において、前記選択手段により、前記記憶手段に記憶されている再生情報に基づいて前記一の情報記録媒体の再生処理を行わない選択をした場合、前記再生処理手段は、前記一の情報記録媒体を最初から再生処理することを特徴とする。
【手続補正２１】
【補正対象書類名】明細書
【補正対象項目名】００４１
【補正方法】変更
【補正の内容】
【００４１】
これにより、再生処理手段が一の情報記録媒体を再生処理中に、例えば使用者の操作により当該一の情報記録媒体の再生を中断させてしまった場合でも、選択手段により当該一の情報記録媒体の再生を記憶手段に記憶されている再生情報に基づいて行わない選択をした場合には、再生処理手段は、最初から当該一の情報記録媒体の再生処理を行うので、その結果、使用者は、再生装置を当該一の情報記録媒体の通常の再生処理に迅速に復帰させることができる。
【手続補正２２】
【補正対象書類名】明細書
【補正対象項目名】００４２
【補正方法】変更
【補正の内容】
【００４２】
また、請求項１１に記載の発明は、請求項６乃至１０のいずれかに記載の再生装置において、前記記憶手段に記憶される再生情報は、前記情報記録媒体のアドレス位置を示すアドレス情報であることを特徴とする。
【手続補正２３】
【補正対象書類名】明細書
【補正対象項目名】００４３
【補正方法】変更
【補正の内容】
【００４３】
これにより、再生処理手段が一の情報記録媒体を再生処理中に、例えば使用者が再生装置の当該一の情報記録媒体の再生を中断させてしまった場合でも、記憶手段には再生処理手段が中断直前に再生処理していた情報記録媒体の中断直前のアドレス情報が所定の時間記憶されるので、該所定の時間内に操作手段によって再度前記一の情報記録媒体が選択された場合、当該一の情報記録媒体の再生処理を中断直前のアドレス位置から引き続き行うことができる。その結果、再生装置は、迅速に中断した情報記録媒体の中断直前のアドレス位置から再生処理を行うことができる。
【手続補正２４】
【補正対象書類名】明細書
【補正対象項目名】００４４
【補正方法】変更
【補正の内容】
【００４４】
また、請求項１２に記載の発明は、請求項６乃至１０のいずれかに記載の再生装置において、前記記憶手段に記憶される再生情報は、前記情報記録媒体のうち所定のグループの先頭アドレス位置を示す先頭アドレス情報であることを特徴とする。
【手続補正２５】
【補正対象書類名】明細書
【補正対象項目名】００４５
【補正方法】変更
【補正の内容】
【００４５】
これにより、再生処理手段が一の情報記録媒体の一のグループを再生処理中に、例えば使用者が再生装置の当該一の情報記録媒体の再生を中断させてしまった場合でも、記憶手段には再生処理手段が中断直前に再生処理していた情報記録媒体の中断直前のグループの先頭アドレス情報が所定時間記憶されるので、該所定の時間内に操作手段によって再度前記一の情報記録媒体が選択された場合、当該一の情報記録媒体の再生処理を中断直前のグループの先頭アドレス位置から引き続き行うことができる。その結果、再生装置は、迅速に中断した情報記録媒体の中断直前のグループの先頭アドレス位置から再生処理を行うことができる。
【手続補正２６】
【補正対象書類名】明細書
【補正対象項目名】０１２６
【補正方法】変更
【補正の内容】
【０１２６】
【発明の効果】
本発明は以上のように構成したので、請求項１記載の発明によれば、再生処理手段が一の情報記録媒体を再生処理中に、例えば使用者の指令により当該一の情報記録媒体の再生を中断させてしまった場合でも、使用者の指令により操作手段が所定の時間内に再度当該一の情報記録媒体が選択されることにより、記憶手段に記憶されている再生情報に基づいて再生処理手段が中断直前に行っていた当該一の情報記録媒体の再生処理を行うことで、再生装置は、迅速に中断直前における当該一の情報記録媒体の再生処理を行うことができる。
【手続補正２７】
【補正対象書類名】明細書
【補正対象項目名】０１２７
【補正方法】変更
【補正の内容】
【０１２７】
また、請求項２に記載の発明によれば、再生処理手段が複数の情報記録媒体から選択された一の情報記録媒体を再生処理中に、例えば使用者が切替手段により他の再生処理手段の再生処理に切替えてしまった場合でも、使用者が所定時間内に再度元の再生処理手段に切替える切替操作を行うことにより、再生処理手段は、記憶手段に記憶されている再生情報に基づいて当該一の情報記録媒体の再生処理を行うので、再生装置は、迅速に中断直前の情報記録媒体の再生処理を行うことができる。
【手続補正２８】
【補正対象書類名】明細書
【補正対象項目名】０１２８
【補正方法】変更
【補正の内容】
【０１２８】
また、請求項３に記載の発明によれば、再生処理手段が複数の情報記録媒体から選択された一の情報記録媒体を再生処理中に、例えば使用者が再生装置の電源を切って（電源ＯＦＦして）しまった場合でも、所定の時間内に電源を再投入（電源ＯＮ）することにより、検出手段が電源ＯＦＦを
検出した後所定の時間経過以前に電源ＯＮを検出する。その場合には、再生処理手段は、記憶手段に記憶されている再生情報に基づいて当該一の情報記録媒体の再生処理を行ので、再生装置は、迅速に電源ＯＦＦ直前の情報記録媒体の再生処理を行うことができる。
【手続補正２９】
【補正対象書類名】明細書
【補正対象項目名】０１２９
【補正方法】変更
【補正の内容】
【０１２９】
また、請求項４に記載の発明によれば、再生処理手段が一の情報記録媒体を再生処理中に、例えば使用者が再生装置の当該一の情報記録媒体の再生を中断させてしまった場合でも、記憶手段には再生処理手段が中断直前に再生処理していた情報記録媒体の中断直前のアドレス情報が所定の時間記憶されるので、該所定の時間内に操作手段によって再度前記一の情報記録媒体が選択された場合、当該一の情報記録媒体の再生処理を中断直前のアドレス位置から引き続き行うことができる。その結果、再生装置は、迅速に中断した情報記録媒体の中断直前のアドレス位置から再生処理を行うことができる。
【手続補正３０】
【補正対象書類名】明細書
【補正対象項目名】０１３０
【補正方法】変更
【補正の内容】
【０１３０】
また、請求項５に記載の発明によれば、再生処理手段が一の情報記録媒体の一のグループを再生処理中に、例えば使用者が再生装置の当該一の情報記録媒体の再生を中断させてしまった場合でも、記憶手段には再生処理手段が中断直前に再生処理していた情報記録媒体の中断直前のグループの先頭アドレス情報が所定時間記憶されるので、該所定の時間内に操作手段によって再度前記一の情報記録媒体が選択された場合、当該一の情報記録媒体の再生処理を中断直前のグループの先頭アドレス位置から引き続き行うことができる。その結果、再生装置は、迅速に中断した情報記録媒体の中断直前のグループの先頭アドレス位置から再生処理を行うことができる。
【手続補正３１】
【補正対象書類名】明細書
【補正対象項目名】０１３１
【補正方法】変更
【補正の内容】
【０１３１】
また、請求項６に記載の発明によれば、再生処理手段が一の情報記録媒体を再生処理中に、例えば使用者の指令により当該一の情報記録媒体の再生を中断させてしまった場合でも、使用者の指令により操作手段が所定の時間内に再度当該一の情報記録媒体が選択されることにより、再生処理手段が記憶手段に記憶されている再生情報に基づいて当該一の情報記録媒体の再生を行うか否か選択を促す情報を報知手段が報知するので、その結果、使用者は、再生装置を中断直前に行っていた当該一の情報記録媒体の再生処理に復帰するか否かを迅速に判断することができる。
【手続補正３２】
【補正対象書類名】明細書
【補正対象項目名】０１３２
【補正方法】変更
【補正の内容】
【０１３２】
また、請求項７に記載の発明によれば、再生処理手段が複数の情報記録媒体から選択された一の情報記録媒体を再生処理中に、例えば使用者が切替手段により他の再生処理手段の再生処理に切替えてしまった場合でも、使用者が所定時間内に再度元の再生処理手段に切替える切替操作を行うことにより、再生処理手段が記憶手段に記憶されている再生情報に基づいて当該一の情報記録媒体の再生処理を行うのか否か選択を促す情報を報知手段が報知するので、その結果、使用者は、再生処理手段を切替える直前に行っていた当該一の情報記録媒体の再生処理に復帰するか否かを迅速に判断することができる。
【手続補正３３】
【補正対象書類名】明細書
【補正対象項目名】０１３３
【補正方法】変更
【補正の内容】
【０１３３】
また、請求項８に記載の発明によれば、再生処理手段が複数の情報記録媒体から選択された一の情報記録媒体を再生処理中に、例えば使用者が再生装置の電源を切って（電源ＯＦＦして）しまった場合でも、所定の時間内に電源を再投入（電源ＯＮ）することにより、検出手段が電源ＯＦＦを検出した後所定の時間経過以前に電源ＯＮを検出するので、その場合には、再生処理手段が記憶手段に記憶されている再生情報に基づいて当該一の情報記録媒体の再生処理を行うのか否か選択を促す情報を報知手段が報知するので、その結果、使用者は、再生装置を電源ＯＦＦ直前に行っていた当該一の情報記録媒体の再生処理に復帰させるか否かを迅速に判断することができる。
【手続補正３４】
【補正対象書類名】明細書
【補正対象項目名】０１３４
【補正方法】変更
【補正の内容】
【０１３４】
また、請求項９に記載の発明によれば、再生処理手段が一の情報記録媒体を再生処理中に、例えば使用者の操作により当該一の情報記録媒体の再生を中断させてしまった場合でも、選択手段により当該一の情報記録媒体の再生を記憶手段に記憶されている再生情報に基づいて行う選択をした場合には、再生処理手段は、記憶手段に記憶されている再生情報に基づいて当該一の情報記録媒体の再生処理を行うので、その結果、使用者は、再生装置を記憶手段に記憶されている再生情報に基づく当該一の情報記録媒体の再生処理に迅速に復帰させることができる。
【手続補正３５】
【補正対象書類名】明細書
【補正対象項目名】０１３５
【補正方法】変更
【補正の内容】
【０１３５】
また、請求項１０に記載の発明によれば、再生処理手段が一の情報記録媒体を再生処理中に、例えば使用者の操作により当該一の情報記録媒体の再生を中断させてしまった場合でも、選択手段により当該一の情報記録媒体の再生を記憶手段に記憶されている再生情報に基づいて行わない選択をした場合には、再生処理手段は、最初から当該一の情報記録媒体の再生処理を行うので、その結果、使用者は、再生装置を当該一の情報記録媒体の通常の再生処理に迅速に復帰させることができる。
【手続補正３６】
【補正対象書類名】明細書
【補正対象項目名】０１３６
【補正方法】変更
【補正の内容】
【０１３６】
また、請求項１１に記載の発明によれば、再生処理手段が一の情報記録媒体を再生処理中に、例えば使用者が再生装置の当該一の情報記録媒体の再生を中断させてしまった場合でも、記憶手段には再生処理手段が中断直前に再生処理していた情報記録媒体の中断直前のアドレス情報が所定の時間記憶されるので、該所定の時間内に操作手段によって再度前記一の情報記録媒体が選択された場合、当該一の情報記録媒体の再生処理を中断直前のアドレス位置から引き続き行うことができる。その結果、再生装置は、迅速に中断した情報記録媒体の中断直前のアドレス位置から再生処理を行うことができる。
【手続補正３７】
【補正対象書類名】明細書
【補正対象項目名】０１３７
【補正方法】変更
【補正の内容】
【０１３７】
また、請求項１２に記載の発明によれば、再生処理手段が一の情報記録媒体の一のグループを再生処理中に、例えば使用者が再生装置の当該一の情報記録媒体の再生を中断させてしまった場合でも、記憶手段には再生処理手段が中断直前に再生処理していた情報記録媒体の中断直前のグループの先頭アドレス情報が所定時間記憶されるので、該所定の時間内に操作手段によって再度前記一の情報記録媒体が選択された場合、当該一の情報記録媒体の再生処理を中断直前のグループの先頭アドレス位置から引き続き行うことができる。その結果、再生装置は、迅速に中断した情報記録媒体の中断直前のグループの先頭アドレス位置から再生処理を行うことができる。